(57)【要約】【課題】フェンダーの後方のスペースを利用して流体タンクを安全に搭載することができるようにした、流体タンクの搭載構造を提供する。【解決手段】車両に搭載される流体タンクの搭載構造１であって、車両の床面を支持するシル２３に取り付けられるフェンダー３１と、フェンダー３１の後方側面に搭載される流体タンク５１とを備える。さらに、流体タンク５１は、フェンダー３１に面するタンク前面部５６がフェンダー３１の後部側３４，３５の形状に沿った形状である。【選択図】図１
2015123944.tif 000002
【特許請求の範囲】
【請求項１】
車両に搭載される流体を貯蔵する流体タンクの搭載構造であって、
前記車両の床面を支持するボデーフレームに取り付けられるフェンダーと、
前記フェンダーの後方側面に搭載される流体タンクとを備え、
前記流体タンクは、前記フェンダーに面するタンク前面部が前記フェンダーの後部側の形状に沿った形状である
ことを特徴とする、流体タンクの搭載構造。
【請求項２】
請求項１に記載の流体タンクの搭載構造において、前記流体タンクが燃料を貯蔵する燃料タンクであって、
前記フェンダーは、前記車両の前輪タイヤの上部を覆う上面部と、前記上面部から延在されて前記前輪タイヤの上部後方を覆う斜面部と、前記斜面部に接合して前記車両の下方にボデーフレームまで延在されて前記前輪タイヤの後方を覆う縦面部と、前記縦面部から前記車両の後方に向けて前記床面に対して水平方向に延在されるサポート部とを有し、
前記タンク前面部が前記縦面部から前記斜面部に沿った形状で前記上面部の高さまで形成され、前記燃料タンクの給油口が前記燃料タンクの上部の端部に設けられており、
前記燃料タンクは、前記タンク前面部が前記フェンダーに近接して、前記サポート部上に配置されている
ことを特徴とする、燃料タンクの搭載構造。
【請求項３】
前記給油口が、前記フェンダーの斜面部から上面部付近の高さとなるように配置される
ことを特徴とする、請求項１又は２に記載の燃料タンクの搭載構造。
【請求項４】
前記燃料タンクの上面部から後面部にかけて溝状に連続する凹部が施されており、
前記フェンダーに設けられた締結部に帯状の緊締部材が連結され、
前記緊締部材が前記凹部と係合して前記燃料タンクを前記フェンダーに固定する
ことを特徴とする、請求項１〜３の何れか１項に記載の燃料タンクの搭載構造。
【請求項５】
前記燃料タンクが樹脂製である
ことを特徴とする、請求項１〜４の何れか１項に記載の燃料タンクの搭載構造。
【請求項６】
請求項１〜５の何れか１項に記載の燃料タンクの搭載構造を備えるバス車両であって、
前記車両のシャシフレームに取り付けられるボデーフレームを備え、
前記燃料タンクは前記車両の車室内側に搭載される
ことを特徴とするバス車両。
【発明の詳細な説明】
【技術分野】
【０００１】
本発明は、車両に搭載される燃料タンクの搭載構造に関する。
【背景技術】
【０００２】
従来より、ホイールベースの間に車両の前後方向に対して横向きとなるようにシートを設置し、この横向きシートの下方の床下に燃料タンクが搭載されたノンステップバスが知られている。
【０００３】
特許文献１のバス用燃料タンクの支持構造では、シャシフレームとスカートタイロッドとの間に車幅方向に設けられた水平部材を備え、燃料タンクがこの水平部材に載せられている。また、段上げ垂直板とスカートタイロッドの間に架け渡したバンドによって、燃料タンクを水平部材と段上げ垂直板の双方に押さえ付けて固定することで、燃料タンクの外径形状を変更することなく、通路床の幅を従来より拡大させることができるとされている。
【０００４】
特許文献２の車両用燃料タンクの取付構造では、車体を支持するシャシフレームと車体の側壁部との間に設けられて車体の幅方向に延在する横架部材間に、車体の前後方向に延在するタンクサポート部材が配置されている。このタンクサポート部材に燃料タンクが載置されるとともに、保持バンドにより燃料タンクがタンクサポート部材に保持されている。また、横架部材に設けられたストッパ部材によって燃料タンクが落ちることを防止できるとされている。
【先行技術文献】
【特許文献】
【０００５】
【特許文献１】特開２００４−２０３２９６号公報
【特許文献２】特開２０１０−１４９６４１号公報
【発明の概要】
【発明が解決しようとする課題】
【０００６】
従来のバス車両に搭載される燃料タンクは、シャシフレームから延設されるサポート部材の上に配置されており、またシートの下に配置されているため、給油口の位置が低かった。この場合、給油口の高さに合わせて屈み、姿勢を低くしないと給油ガンの給油口への挿入が困難であった。また給油口を覗き込み難いため、給油状況を確認しながらの給油が困難であった。このような理由から、給油の作業性が悪いという課題があった。
【０００７】
なお、フェンダー上部に燃料タンクを配置すると共に、給油口をフェンダーの上部に設けた仕様のバス車両も知られている。しかしながら、この場合には、フェンダーの上部のスペースは限られており、また、燃料タンクの上部に設けられる給油口の位置との関係から燃料タンクの高さが制限されるため、燃料タンクの容量を十分に確保することが困難であった。また、この場合では給油口の位置が高すぎるために、かえって給油の作業性が悪かった。
【０００８】
従来のノンステップバスでは、燃料タンクが横向きシートの下方に配置されているために床上に段差ができ、足元のスペースを確保することができない。このために、高齢者や障碍者にとっては立ち座りがしづらいという問題があった。また、横向きのシートに座っている場合には乗り物酔いが発生する場合があり、山道での乗り心地が悪いという問題もあった。こういった背景のもと、ノンステップバスの要望として、横向きのシートから前向きのシートへ変更することが提案されている。
【０００９】
引用文献１に記載の発明は、通路床の幅を従来より拡大させることができるものではあるが、足元のスペースを十分に確保できるものではなかった。
引用文献２に記載の車両用燃料タンクの取付構造では、車両下側から燃料タンクサポート部材を固定するボルトに弛みが生じて燃料タンクが落下する可能性があるために、ストッパ部材のように落下防止のためのブラケットを設けており、構造が複雑かつ部品点数が増加する傾向にあった。
【００１０】
本願発明はこのような課題に鑑みて創案されたものであり、フェンダーの後方のスペースを利用して流体タンクを安全に搭載することができるようにした、燃料タンクの搭載構造を提供することを目的としている。
【課題を解決するための手段】
【００１１】
（１）上記の目的を達成するために、ここで開示する流体を貯蔵する流体タンクの搭載構造は、車両に搭載される流体タンクの搭載構造であって、前記車両の床面を支持するボデーフレームに取り付けられるフェンダーと、前記フェンダーの後方側面に搭載される流体タンクとを備える。また、前記流体タンクは、前記フェンダーに面するタンク前面部が前記フェンダーの後部側の形状に沿った形状である。
【００１２】
（２）前記の流体タンクの搭載構造において、前記流体タンクは燃料を貯蔵する燃料タンクであってもよい。前記フェンダーは、前記車両の前輪タイヤの上部を覆う上面部と、前記上面部から延在されて前記前輪タイヤの上部後方を覆う斜面部と、前記斜面部に接合して前記車両の下方にボデーフレームまで延在されて前記前輪タイヤの後方を覆う縦面部と、前記縦面部から前記車両の後方に向けて前記床面に対して水平方向に延在されるサポート部とを有してもよい。また、前記タンク前面部が前記縦面部から前記斜面部に沿った形状で前記上面部の高さまで形成され、前記燃料タンクの給油口が前記燃料タンクの上部の端部に設けられてもよい。また、前記燃料タンクは、前記タンク前面部が前記フェンダーに近接して、前記サポート部上に配置されてもよい。
【００１３】
（３）前記給油口が、前記フェンダーの斜面部から上面部付近の高さとなるように配置されてもよい。
（４）前記燃料タンクの前記上面部から後面部にかけて溝状に連続する凹部が施されており、前記フェンダーの前記上面部と前記サポート部にそれぞれ設けられた締結部に帯状の緊締部材が連結されていてもよい。また、前記緊締部材が前記凹部と係合して前記燃料タンクを前記フェンダーに固定していてもよい。
【００１４】
（５）前記燃料タンクが樹脂製であってもよい。
（６）ここで開示するバス車両は、燃料タンクの搭載構造を備えるバス車両であって、前記車両のシャシフレームに取り付けられるボデーフレームを備え、前記燃料タンクは前記車両の車室内側に搭載される。
【発明の効果】
【００１５】
本発明の流体タンクの搭載構造は、流体タンクがフェンダーの後方側面に搭載され、流体タンクの前面部がフェンダーの後部側の形状に沿った形状となっているため、フェンダーの斜めに形成されている後方のスペースを有効に活用して流体タンクを搭載するとともに、流体タンクの容量を確保することができる。さらに、流体タンクを車両骨格の上側から搭載できるため、構造を簡素化でき、落下のおそれが無いことから流体タンクの安全性を確保することができる。
【図面の簡単な説明】
【００１６】
【図１】一実施形態に係る燃料タンクの搭載構造の一例を模式的に示す斜視図であり、燃料タンクを取り付けた状態を示している。
【図２】一実施形態に係る燃料タンクの搭載構造の一例を模式的に示す斜視図であり、燃料タンクを取り外した状態を示している。
【図３】一実施形態に係る燃料タンクの搭載構造の一例を模式的に示す斜視図であり、燃料タンクを取り付けた状態を別の方向から示している。
【図４】一実施形態に係る燃料タンクの搭載構造の一例を模式的に示す下面図である。
【図５】一実施形態に係る燃料タンクの搭載構造及びフレームの構造の一例を模式的に示す図である。
【発明を実施するための形態】
【００１７】
以下、図面を参照して、実施形態としての流体を貯蔵する流体タンクの搭載構造について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができるとともに、必要に応じて取捨選択することができ、あるいは適宜組み合わせることが可能である。
【００１８】
［１．構成］
本実施形態の燃料タンクの搭載構造１は、バス車両に搭載される流体としての燃料を貯蔵する燃料タンク５１の搭載構造であって、図１、図２、図３に示すように、フェンダー３１と燃料タンク５１とを備える。なお、以下の説明において、単に前、後、左、右という場合、バス車両の進行方向に対しての前後方向又は左右方向を基準として指し示すものとする。
【００１９】
［１−１．バス車両］
まず、燃料タンクの搭載構造１が備えられるバス車両の構成について説明する。
図５は、本実施形態に係る燃料タンクの搭載構造１を備えるバス車両のフレームの構造について、バス車両の中心付近から左側の部分を模式的に示す図である。
【００２０】
図５に示すように、燃料タンクの搭載構造１を備えるバス車両は、シャシフレーム１１と、シャシフレーム１１に取り付けられるボデーフレーム２１と、ボデーフレーム２１に取り付けられるフェンダー３１とを備えている。
【００２１】
シャシフレーム１１は、バス車両の前後方向に延びる左右一対のサイドレール１２ａ，１２ｂと、サイドレール１２ａ，１２ｂの間をバス車両の横方向に連結する複数のクロスメンバ１３ａ〜１３ｃと、サイドレール１２ａ，１２ｂからそれぞれバス車両の側方へ延出される複数のアウトリガ１４ａ〜１４ｃとからなる。
【００２２】
シャシフレーム１１には、アウトリガ１４ａ〜１４ｃの端部に、それぞれ図示しないサイドボデー取り付け用の複数のブラケット１５ａが設けられる。また、サイドレール１２ａ，１２ｂそれぞれからバス車両の内側に、ボデーフレーム２１取り付け用の複数のブラケット１５ｂが設けられる。
【００２３】
ボデーフレーム２１は、ブラケット１５ｂを介してシャシフレーム１１に取付られている。ボデーフレーム２１は、サイドボデーに沿って前後方向に延びるシル２２ａと、サイドレール１２ａ，１２ｂの上方でそれぞれ車両前後方向に延在するシル２２ｂ，２２ｃと、シル２２ａとシル２２ｂとの間又はシル２２ｂと２２ｃとの間に設けられるシル２３と、シル２２ａに取り付けられてバス車両の側面部をなす図示しない壁部材であるサイドボデーと、シル２２ａ，２２ｂ，２２ｃ，２３に支持されてバス車両の床面をなす図示しない床部材とにより構成されている。また、フェンダー３１及び下部カバー３８もボデーフレーム２１を構成する。
【００２４】
シャシフレーム１１及びボデーフレーム２１はこのようにして構成されており、燃料タンク５１はシル２３に取り付けられるフェンダー３１の後方側面に搭載されることで、バス車両の車室内側に搭載される。バス車両に燃料タンクの搭載構造１が備えられた際には、燃料タンク５１の給油口６４は、フェンダー３１の上に設けられ、バス車両の図示しない窓より低い位置に設けられている。
【００２５】
［１−２．フェンダー］
次に、本実施形態に係るバス車両のフェンダー３１の構成について説明する。
図１、図２は、本実施形態に係る燃料タンクの搭載構造１について、フェンダー３１の上方から外方向をみた斜視図である。図３は、本実施形態に係る燃料タンクの搭載構造１について、フェンダー３１の上方から内方向をみた斜視図である。図４は、本実施形態に係る燃料タンクの搭載構造１の一部について、バス車両の下方から上方をみた下面図である。なお、図２では、前輪タイヤ２４とフェンダー３１との位置関係を模式的に示している。
【００２６】
図２に示すように、フェンダー３１は、バス車両の前輪タイヤ２４の前方を覆う前面部３２（フェンダー前面部）と、前面部３２に接合して前輪タイヤ２４の上部前方及び上部を覆う上面部３３（フェンダー上面部）と、上面部３３から延在されて前輪タイヤ２４の上部後方を覆う斜面部３４（フェンダー斜面部）と、斜面部３４に接合してバス車両の下方にシル２３まで延在されて前輪タイヤ２４の後方を覆う縦面部３５と、縦面部３５からバス車両の後方に向けて床面に対して水平方向に延在されるサポート部３６とを有している。また、フェンダー３１は、前輪タイヤ２４の室内側側方を覆う側面部３７（フェンダー側面部）を有する。
【００２７】
フェンダー上面部３３と斜面部３４とは、一枚の鋼板からなり、フェンダー上面部３３が床面に対して水平となり、斜面部３４が床面に対して斜めとなる形状となるよう折り曲げられることで、フェンダー上面部３３と斜面部３４とが形成される。
【００２８】
縦面部３５とサポート部３６とは、一枚の鋼板からなり、Ｌ字状に折り曲げられることで縦面部３５とサポート部３６とが形成されている。縦面部３５は、バス車両の床面に対して垂直となり、サポート部３６はバス車両の床面に対して水平となるように設けられている。縦面部３５は、その車両外側の側端部に、バス車両のサイドボデーと水平となるようにして延在されるフランジ部が形成され、このフランジ部分においてサイドボデーに固定されている。また、サポート部３６はその下に架設されるシル２３に固定される。
【００２９】
フェンダー側面部３７は、一枚の鋼板からなり、フェンダーの前面部３２と、上面部３３と、斜面部３４と、縦面部３５と、それぞれの車室内側の端部において溶接により溶着されている。また、フェンダー側面部３７は、その下端がシル２３と水平となるように車室内側に延在されるフランジ部が形成され、このフランジ部分においてシル２３に溶接により溶着される。
このようにして、フェンダー３１は、鋼板３部品構成からなる構造となっている。
【００３０】
フェンダー３１の後方には、フェンダー側面部３７に接合して燃料タンク５１の側面部６０と後面部５９とに面して延在された下部カバー３８が設けられている。下部カバー３８は、燃料タンク５１の側面部を覆う側面カバー３９と、燃料タンク５１の後面部を覆う後面カバー４０とからなる。
【００３１】
側面カバー３９はその前方側の端部において、フェンダー側面部３７の後方側の端部と固定されている。また、側面カバー３９は、その下端がシル２３と水平となるように車室内側に延在されるフランジ部が形成され、このフランジ部分においてシル２３に溶接により溶着される。
【００３２】
後面カバー４０は、バス車両の床面に対して垂直となるように設けられている。後面カバー４０は、バス車両の外側のサイドボデーに近い部分がフェンダー上面部３４付近の高さにまで延出されて延出部４０ａを形成しており、サイドボデーに設けられた図示しない固定用ブラケットに固定されている。
【００３３】
サポート部３６には、サポート部３６を貫通する連通穴４３が設けられている。また、サポート部３６の下面には、連通穴４３の前方及び左右を覆う底部カバー４４と、その下方を覆う底部カバー４５とが設けられている。底部カバー４４は連通穴４３の前方及び左右を囲うようにして覆い、底部カバー４５は底部カバー４４により囲まれる領域の下部を覆うように設けられている。
【００３４】
フェンダー上面部３３の後方側の端部には、締結部材取付ブラケット４１が固設されている。締結部材取付ブラケット４１は断面コ字形状に形成された部材であって、コ字形状の断面開口部をバス車両の前方に向けるとともに、その下端部においてフェンダー上面部３３に固設されている。
【００３５】
［１−３．燃料タンク］
さらに、本実施形態に係る燃料タンク５１の構成について説明する。
燃料タンク５１は、フェンダー３１の後方側面に搭載される樹脂製のタンクであって、図１、図３に示すように、フェンダー３１に面する燃料タンク５１の前方の前面部５６（タンク前面部）が、フェンダー３１の後部側の斜面部３４と縦面部３５との形状に沿った形状に形成される。燃料タンク５１は、略直方体形状に形成されるタンク下部５３と、前記タンク下部５３から上方に斜面部３４に沿って拡開されるタンク上部５２とが一体となって形成される。
【００３６】
タンク下部５３は、燃料タンク５１の下部の面ともなるタンク下部５３の下面部５７の形状、及びタンク下部５３の水平方向の断面の形状がサポート部３６と同じか若干小さい略長方形状に形成される。タンク下部５３において縦面部３５に面する下部前面部５５は、燃料タンク５１がフェンダー３１の後方側面に搭載された場合に、下面部５７の前端部からフェンダー３１の縦面部３５に沿ってバス車両の床面に対して垂直となるよう上方に延出される。
【００３７】
タンク上部５２は、その水平方向の断面の面積が上方に向かうにつれて大きくなるよう断面が略長方形状に形成される。タンク上部５２において斜面部３４に面する上部前面部５４は、燃料タンク５１がフェンダー３１の後方側面に搭載された場合に、下部前面部５５の上端部からフェンダー３１の斜面部３４に沿って上端がフェンダー上面部３３の高さと略同一となるまで拡開される。これにより、燃料タンク５１の上部の面である上面部５８（タンク上面部）は、フェンダー上面部３３の高さと同程度の高さに形成される。
【００３８】
このようにして、燃料タンク５１は、上部前面部５４と下部前面部５５からなるタンク前面部５６が、フェンダー３１の縦面部３５の下端部から斜面部３４の上端部までに沿った形状となるように上面部５８の高さまで形成される。燃料タンク５１は、下部前面部５５が縦面部３５に近接し、上部前面部５４が斜面部３４に近接するとともに、サポート部３６上に配置されて下面部５７がサポート部３６により下方から保持されて車両に搭載される。
【００３９】
燃料タンク５１の後方の後面部５９は、下面部５７に対して垂直となるよう形成され、後面部５９が後面カバー４０に近接して配置される。また、燃料タンク５１は、横幅がフェンダー３１の横方向の幅よりも少し小さくなるよう形成されており、燃料タンク５１がフェンダー３１の後方側面に搭載された場合に、燃料タンク５１の側面部６０が車幅方向に対してフェンダーの側面部３７よりも張り出したものとならないよう搭載される。
【００４０】
図４に示すように、燃料タンク５１の下面部５７は、中央付近が下方に延出されて底部６１を形成している。燃料タンク５１がフェンダー３１の後方側面に搭載された場合に、底部６１は連通穴４３を通じてサポート部３６よりも下面に露出するよう形成されている。底部６１の後方側面には、後方に向けて燃料パイプ６２が取り付けられている。底部カバー４４，４５は、底部６１及び燃料パイプ６２の前方、左右、及び下方を覆うように設けられている。なお、図４では、底部６１及び燃料パイプ６２を図示するために、底部カバー４５は二点鎖線で描き透明に図示している。
【００４１】
燃料パイプ６２は、バス車両のエンジンへと接続されている。なお、燃料タンクをバス車両の右側にも設ける場合、又は給油口をバス車両の右側にも設ける場合には、燃料パイプ６２がバス車両の右側の燃料タンク又はバス車両の右側の給油口へと接続されるように構成されていてもよい。
【００４２】
図１、図３に示すように、燃料タンク５１のフィラーネック６３は、燃料タンク５１の上部におけるバス車両の外側の端部に設けられる。すなわち、フィラーネック６３は、燃料タンク５１の上面部の端部、又は燃料タンク５１の側面部の上端部付近に設けられる。燃料タンク５１のタンク上面部５８は、フェンダー上面部３３の高さと同程度の高さに形成されることから、燃料タンク５１の給油口６４は、燃料タンク５１がフェンダー３１の後方側面に搭載された場合に、フェンダー３１の斜面部３４から上面部３３付近の高さとなるように配置される。
【００４３】
図１、図３に示すように、燃料タンク５１の外側表面には、上面部５８から後面部５９にかけて溝状に連続する２つの凹部６５が施される。凹部６５は、上面部５８の溝部６５ａでは前後方向に、後面部５９の溝部６５ｂでは床面に対して垂直となるように形成されている。２つの緊締部材７１が凹部６５とそれぞれ係合して、燃料タンク５１を巻回することにより、燃料タンク５１をフェンダー３１に固定する。
【００４４】
［１−４．緊締部材］
以下に、緊締部材７１及びその関連部材について説明する。
図１、図３に示すように、フェンダー上面部３３の後方側の端部に固設される締結部材取付ブラケット４１のコ字形状のバス車両後方側を向く面には、取付穴４２が２つ設けられ、この取付穴４２にには、上部締結部材７４がそれぞれ設けられる。サポート部３６の後方側の端部には、下部締結部材７７が取り付けられる。
【００４５】
フェンダー３１の上面部３３とサポート部３６にそれぞれ設けられた上部締結部７４と下部締結部７５とに、帯状の緊締部材７１の両端が連結される。緊締部材７１は、燃料タンク５１の上面部５８の溝部６５ａと係合する緊締部材７１ａと、後面部５９の溝部６５ｂと係合する緊締部材７１ｂとからなり、緊締部材７１ａと緊締部材７１ｂとの間が中間連結部７８により連結される。
【００４６】
緊締部材７１は鉄製の帯状部材とゴム製の帯状部材とが張り合わされて一本の帯状部材となるよう形成されている。緊締部材７１は、燃料タンク５１に当接する面にゴム製の帯状部材を向けるようにして、上部締結部７４及び下部締結部７７に連結される。
【００４７】
上部締結部７４は、緊締部材７１ａの端部を軸支する軸受部７５と、締結部材取付ブラケット４１に軸受部７５を締着する締着部７６とからなる。軸受部７５には緊締部材７１ａの鉄製の帯状部材の端部が巻き付けられた上で、この帯状部材の端部が軸受部７５の回りでループを形成するようにして券架される。これにより、緊締部材７１ａの端部は軸受部７５に軸支され、上部締結部７４に連結される。締着部７６は、軸受部７５と結合しており締結部材取付ブラケット４１に設けられた取付穴４２に燃料タンク５１側から挿入されるボルトと、締結部材取付ブラケット４１の取付穴に挿入されたボルトを燃料タンク５１の反対側から締着するナットからなる。緊締部材７１が上部締結部７４及び下部締結部７７に連結された状態で、締着部７６のナットを締め付けることにより、緊締部材７１にテンションをかけて燃料タンク５１をフェンダー３１に固定する。
【００４８】
下部締結部７７は、サポート部３６に固定されており、緊締部材７１ｂの一端がバス車両及び燃料タンク５１の左右方向の軸を中心に回転可能に連結されている。
中間連結部７８は、緊締部材７１ａの一端がバス車両及び燃料タンク５１の左右方向の軸を中心に回転可能に連結されているとともに、緊締部材７１ｂを固定することで、緊締部材７１ａと緊締部材７１ｂとを連結する。中間連結部７８の位置が、上面部５８と後面部５９とにより形成されるコーナー付近に位置するよう、緊締部材７１ａと緊締部材７１ｂとの長さが設定されている。中間連結部７８において燃料タンク５１のコーナー形状に合わせて緊締部材７１を曲げることにより、緊締部材７１に曲げによる負荷をかけることなく、緊締部材７１を燃料タンク５１の形状にあわせて凹部６５と係合させる。
【００４９】
［２．作用・効果］
（１）上記の燃料タンクの搭載構造１によれば、燃料タンク５１がフェンダー３１の後方側面に搭載され、タンクの前面部５６がフェンダーの後部側３４，３５の形状に沿った形状となっている。これにより、フェンダー３１の斜めに形成されている後方のスペースを有効に活用して燃料タンク５１を搭載するとともに、燃料タンク５１の容量を確保することができる。
【００５０】
また、燃料タンク５１を車両骨格であるシャシフレーム１１に取り付けられるシル２３の上側から搭載できるため、従来のように燃料タンクを載置する燃料タンクサポートが不要となり、また、燃料タンク５１が脱落又は落下するおそれが無いことから落下防止ブラケットも不要となる。このため、構造を簡素化できるとともに、燃料タンク５１の安全性を確保することができる。
【００５１】
（２）上記の燃料タンクの搭載構造１によれば、燃料タンク５１がフェンダー３１の後方側面に搭載されるとともに、燃料タンク５１の前面部５６が、フェンダー３１の縦面部３５から斜面部３４に沿った形状で上面部３３の高さまで形成されている。このとき、燃料タンク５１の給油口６４が燃料タンク５１の上部の端部に設けられているために、給油口６４をフェンダー３１の上面部３３付近の高さの位置に設けることができる。これにより、従来のように横向きシートの下に燃料タンクが配置される場合と比べて給油口６４の位置を高くすることができる。また、フェンダー３１の上に燃料タンクが配置される場合と比べて、給油口６４の位置を低くすることができる。結果として、従来よりは給油口６４の位置を高すぎない程度に上げることができ、給油の作業性を高めることができる
【００５２】
また、フェンダー３１の縦面部３５の後端を延長して、サポート部３６を形成するとともに、サポート部３６により燃料タンク５１の下面部５７を支える構造としたことにより、フェンダー３１自体が燃料タンクサポートの代わりとなり、燃料タンク５１を保持することができるものとなっている。また、燃料タンク５１は、タンク前面５６がフェンダー３１に近接してサポート部３６上に配置されているため、燃料タンク５１とフェンダー３１との間に無駄なスペースを生じさせること無く燃料タンク５１を搭載することができ、また、燃料タンク５１の後方のスペースを広く取ることができる。
【００５３】
さらに、本実施形態に係る燃料タンクの搭載構造１によれば、従来の燃料タンクを横向きのシートの床下に燃料タンクを搭載する場合とは異なり、燃料タンク５１がフェンダー３１の後方側面のサポート部３６上に搭載される。この燃料タンクの搭載位置が変更されることにより生じる空間を利用して、横向きのシートを複数の前向きのシートに変更することができる。このとき、前向きのシートの下にはスペースが生じるため、高齢者や障碍者にとっても立ち座りがしやすい座席を提供することができる。または、この燃料タンクの搭載位置が変更されることにより生じる空間を利用して、ノンステップエリアを拡大することもできる。
【００５４】
また、従来は燃料タンクサポートを用いて横向きシートの下に燃料タンクを配置させていたため、シャシフレームのアウトリガを燃料タンクサポートと干渉しない位置に設けなければならなかった。この場合にはアウトリガとクロスメンバが互い違いとなる位置に設けられることで、バランスが十分とはいえない構造となっていた。本実施形態に係る燃料タンクの搭載構造１によれば、図５に示すように、従来であれば燃料タンクサポートが配置されていた位置にアウトリガ１４ａを設けることができるため、アウトリガ１４ａ，１４ｂ，１４ｃを所望の位置に配置することができ、アウトリガ１４ａとクロスメンバ１３ａとの結合位置、若しくはアウトリガ１４ａとシル２２ａ又はサイドボデーとの結合位置を最適化することができる。これにより、シャシフレーム１１の剛性が向上し、ねじりに対する強度を高めることができる。
【００５５】
（３）上記の燃料タンクの搭載構造１によれば、給油口６４が、フェンダーの斜面部３４から上面部３３付近の高さとなるように配置されることで、給油口６４の高さが作業のしやすい高さとなり、給油の作業性を高めることができる。
【００５６】
（４）上記の燃料タンクの搭載構造１によれば、フェンダー３１に設けられた緊締部材７１が燃料タンク５１に形成された凹部６５と係合しているため、燃料タンク５１をフェンダー３１に確実に固定することができる。このとき、凹部６５が燃料タンク５１の上面部５８から後面部５９にかけて連続して形成されているために、凹部６５と係合する緊締部材７１により、バス車両が加速又は減速した際に燃料タンク５１に前後方向に力が働く場合であっても、燃料タンク５１をフェンダー３１に固定することができる。また、凹部６５が溝状に形成されているため、バス車両が旋回した際に燃料タンク５１に左右方向に力が働いた場合であっても、燃料タンク５１をフェンダー３１に固定することができる。
【００５７】
中でも、フェンダー３１の上面部３３とサポート部３６にそれぞれ設けられた上部締結部７４と下部締結部７７とに緊締部材７１が連結されているので、緊締部材７１が溝部６５ａと溝部６５ｂとに係合することにより、燃料タンク５１の前面部５６をフェンダーの後部側３４，３５に当接させるようにして、より確実に固定することができる。
【００５８】
（５）上記の燃料タンクの搭載構造１によれば、燃料タンク５１が樹脂製であるため、鉄製の燃料タンクと比べて軽量であり、またタンク前面部５６がフェンダー３１の形状に沿った形状となるように容易に成形することができる。なお、本実施形態に係る燃料タンク５１は、ＰＥ（ポリエチレン樹脂）により形成されている。
【００５９】
（６）上記の燃料タンクの搭載構造１を備えるバス車両によれば、燃料タンク５１はバス車両の車室内側に搭載されることで、燃料タンク５１が脱落することなく安全に搭載することができる。また、燃料タンク５１が床下に配置されていた従来のバス車両と比較して、車室内の段差を減らして居住性を向上させることができる。
【００６０】
また、従来のバス車両では、フェンダーがフェンダーの上面部及び斜面部と、側面部とからなる２部品構成であったが、上記の燃料タンクの搭載構造１によれば、フェンダー３１は、鋼板３部品構成から成り、板厚を従来のバス車両のフェンダーよりも増して強固な構造としている。
【００６１】
また、上記の燃料タンクの搭載構造１によれば、底部カバー４４，４５が、燃料タンク５１の底部６１及び燃料パイプ６２の前方、左右、及び下部を覆うことにより、例えば前輪タイヤ２４によって石が跳ね上げられた場合であっても、燃料タンク５１の底部６１及び燃料パイプ６２に当たり損傷を受けることを防ぐことができる。
【００６２】
また、上記の燃料タンクの搭載構造１によれば、燃料タンク５１はシル２３の上側からバス車両の車室内側において、サポート部３６上に搭載されているものの、サポート部３６には、連通穴４３が設けられている。このため、燃料タンク５１から燃料が漏れた場合であっても、上面部３３、斜面部３４、縦面部３５、サポート部３６、及び下部カバー３８が受け皿と成り燃料がサポート部３６に溜まるために、漏れた燃料が室内側に進入することが防止される。さらに、サポート部３６に溜まった燃料が連通穴４３から底部カバー４５の上面を流れることで、後方へ排出することができる。
【００６３】
［３．変形例］
上述した実施形態に関わらず、それらの趣旨を逸脱しない範囲で種々変形して実施することができる。本実施形態の各構成は、必要に応じて取捨選択することができ、あるいは適宜組み合わせてもよい。
【００６４】
上述の実施形態では、バス車両に搭載される燃料タンクを例に挙げて説明したが、フェンダー及び流体を貯蔵するタンクを備えるものであれば、流体タンクの搭載構造１を適用する対象は限定されない。例えば、車両としては乗用車やトラックに適用してもよい。また、タンクとしては尿素タンクに適用してもよい。
【００６５】
燃料タンクの搭載構造１には、給油時にフィラーネック６３の給油口６４から溢れた燃料を、サイドボデーの中間部分を通じて燃料を路面に導くリークホースが設けられていてもよい。
【００６６】
また、燃料タンクの搭載構造１には、燃料タンク５１の内部と外気とを連通するブリーザホースと、ブリーザホースに接続されて圧力を規定する２ｗａｙバルブとが設けられていてもよい。本実施形態に係る燃料タンクの搭載構造１では、燃料タンク５１の搭載位置がフェンダーの後方側面となるよう変更されたことに伴い、給油口６４の位置も変わったことから、ブリーザホースと２ｗａｙバルブとの経路も変更されている。
【００６７】
また、上述の実施形態では、燃料タンク５１がバス車両の左側前方のフェンダー３１の後方側面に一つ搭載される燃料タンクの搭載構造１について説明したが、バス車両の右側前方のフェンダーの後方側面に燃料タンクが設けられるように構成されていてもよい。この場合、上述した実施形態に係る燃料タンクの搭載構造１を、バス車両の中心線に対して左右対称となるように構成して燃料タンクを配置すればよい。また、バス車両の後方のフェンダーの後方側方に燃料タンクが設けられるように構成されていてもよい。また、バス車両の左側前方のフェンダー３１の後方側面と右側前方のフェンダーの後方側面との両方に燃料タンクが設けられていてもよい。燃料タンクが二つ設けられる場合には、二つの燃料タンクの下部において燃料が流通できるようにパイプにより繋げられるとともに、二つの燃料タンクの上部においてタンクの内圧を合わせるためのエアベントパイプで繋がれていてもよい。
【符号の説明】
【００６８】
１  燃料タンクの搭載構造
１１  シャシフレーム
２３  ボデーフレーム
２４  前輪タイヤ
３１  フェンダー
３３  フェンダー上面部（上面部）
３４  斜面部
３５  縦面部
３６  サポート部
５１  燃料タンク（流体タンク）
５６  タンク前面部
５８  タンク上面部（上面部）
６４  給油口
６５  凹部
７１  緊締部材
【図１】
2015123944.tif 000003
【図２】
2015123944.tif 000004
【図３】
2015123944.tif 000005
【図４】
2015123944.tif 000006
【図５】
2015123944.tif 000007